(57)【特許請求の範囲】
【請求項１】
加入者の光ファイバケーブルの設備情報を登録する設備データベースを有すると共に加入者の光ファイバケーブルの光線路試験を一括して管理する保守センタと、光ファイバを通信媒体として通信を行う光送受信器の直前に試験光を反射する光フィルタを備えた光ファイバケーブルに光カプラを介して試験光を注入して光線路試験を行う光線路試験装置から構成される光線路試験システムであって、
前記光線路試験装置は、
前記保守センタから光線路試験実施の指示情報と前記設備データベースに登録されている試験対象となる光ファイバケーブルの登録情報とを受信する受信手段と、
光線路試験を実施する光ファイバケーブルを選択する心線選択手段と、
通信光を波長別に透過する複数の光フィルタと、該光フィルタを透過した通信光を検出する光パワーメータを使用して、前記光線路試験実施の直前に試験対象となる光ファイバケーブルの通信光の検出及び通信波長の特定を行う通信光検出手段と、
前記保守センタから受信した試験対象となる光ファイバケーブルの登録情報と、前記通信光検出手段により検出された通信光の測定結果とを照合する照合手段と、
前記照合手段による照合の結果、前記保守センタから受信した試験対象となる光ファイバケーブルの登録情報と前記通信光検出手段により検出された通信光の測定結果とが一致し、かつ、通信光と試験光の波長が一致しない場合に、前記光線路試験を実施し、通信光と試験光の波長が一致する場合には、通信光とは異なる波長の試験光を選択して前記光線路試験を実施する光線路試験手段と、
前記照合手段による照合の結果、保守センタから受信した試験対象となる光ファイバケーブルの登録情報と、試験対象となる光ファイバケーブルから検出した通信光の測定結果とが一致しない場合は、通信光の測定結果の情報を前記保守センタに通知する通知手段と
を備え、
前記保守センタは、
前記光線路試験装置に対して、光線路試験実施の指示情報と、前記設備データベースに登録されている試験対象となる光ファイバケーブルの登録情報を送信する送信手段と、
前記通知手段による前記測定結果の通知を受けた場合に、前記設備データベースに登録された光ファイバケーブルの設備情報の補正を行う補正手段と
を備えたことを特徴とする光線路試験システム。
【請求項２】
加入者の光ファイバケーブルの設備情報を登録する設備データベースを有すると共に加入者の光ファイバケーブルの光線路試験を一括して管理する保守センタと、光ファイバを通信媒体として通信を行う光送受信器の直前に試験光を反射する光フィルタを備えた光ファイバケーブルに光カプラを介して試験光を注入して光線路試験を行う光線路試験装置から構成される光線路試験システムにおける光線路試験方法であって、
前記光線路試験装置において、
前記保守センタから光線路試験実施の指示情報と前記設備データベースに登録されている試験対象となる光ファイバケーブルの登録情報とを受信する受信手順と、
光線路試験を実施する光ファイバケーブルを選択する心線選択手順と、
通信光を波長別に透過する複数の光フィルタと、該光フィルタを透過した通信光を検出する光パワーメータを使用して、前記光線路試験実施の直前に試験対象となる光ファイバケーブルの通信光の検出及び通信波長の特定を行う通信光検出手順と、
前記保守センタから受信した試験対象となる光ファイバケーブルの登録情報と、前記通信光検出手段により検出された通信光の測定結果とを照合する照合手順と、
前記照合手順による照合の結果、前記保守センタから受信した試験対象となる光ファイバケーブルの登録情報と前記通信光検出手順により検出された通信光の測定結果とが一致し、かつ、通信光と試験光の波長が一致しない場合に、前記光線路試験を実施し、通信光と試験光の波長が一致する場合には、通信光とは異なる波長の試験光を選択して前記光線路試験を実施する光線路試験手順と、
前記照合手順による照合の結果、保守センタから受信した試験対象となる光ファイバケーブルの登録情報と、試験対象となる光ファイバケーブルから検出した通信光の測定結果とが一致しない場合は、通信光の測定結果の情報を前記保守センタに通知する通知手順と
を有し、
前記保守センタにおいて、
前記光線路試験装置に対して、光線路試験実施の指示情報と、前記設備データベースに登録されている試験対象となる光ファイバケーブルの情報を送信する送信手順と、
前記通知手段による前記測定結果の通知を受けた場合に、前記設備データベースに登録された光ファイバケーブルの設備情報の補正を行う補正手順と
を備えたことを特徴とする光線路試験方法。
【請求項３】
加入者の光ファイバケーブルの設備情報を登録する設備データベースを有すると共に加入者の光ファイバケーブルの光線路試験を一括して管理する保守センタと、光ファイバを通信媒体として通信を行う光送受信器の直前に試験光を反射する光フィルタを備えた光ファイバケーブルに光カプラを介して試験光を注入して光線路試験を行う光線路試験装置から構成される光線路試験システム上で動作する光線路試験プログラムであって、
前記光線路試験装置のコンピュータに、
前記保守センタから光線路試験実施の指示情報と前記設備データベースに登録されている試験対象となる光ファイバケーブルの登録情報とを受信する受信ステップと、
光線路試験を実施する光ファイバケーブルを選択する心線選択ステップと、
通信光を波長別に透過する複数の光フィルタと、該光フィルタを透過した通信光を検出する光パワーメータを使用して、前記光線路試験実施の直前に試験対象となる光ファイバケーブルの通信光の検出及び通信波長の特定を行う通信光検出ステップと、
前記保守センタから受信した試験対象となる光ファイバケーブルの登録情報と、前記通信光検出手段により検出された通信光の測定結果とを照合する照合ステップと、
前記照合ステップによる照合の結果、前記保守センタから受信した試験対象となる光ファイバケーブルの登録情報と前記通信光検出ステップにより検出された通信光の測定結果とが一致し、かつ、通信光と試験光の波長が一致しない場合に、前記光線路試験を実施し、通信光と試験光の波長が一致する場合には、通信光とは異なる波長の試験光を選択して前期光線路試験を実施する光線路試験ステップと、
前記照合ステップによる照合の結果、保守センタから受信した試験対象となる光ファイバケーブルの登録情報と、試験対象となる光ファイバケーブルから検出した通信光の測定結果とが一致しない場合は、通信光の測定結果の情報を前記保守センタに通知する通知ステップと
を実行させることを特徴とする光線路試験プログラム。
【請求項４】
請求項３に記載の光線路試験プログラムを記録したコンピュータ読み取り可能な記録媒体。
【発明の詳細な説明】
【０００１】
【発明の属する技術分野】
本発明は、光伝送システムのオペレーション分野における光線路試験装置、光線路試験システム及び光線路試験方法に関し、特に通信波長帯と同一波長の試験光が挿入されることを防ぎ、試験光が通信に影響を及ぼすことを防止する光線路試験装置、光線路試験システム及び光線路試験方法に関する。
【０００２】
【従来の技術】
従来の光線路試験方法としては、特開平２−１６３２号公報「光線路試験方式」で開示された方法で光線路の保守運用を行っている。その他の例としては、ＮＴＴ技術ジャーナル１９９０年８月号「今、光線路のオペレーションが変わるAURORA&FITAS」及びＮＴＴ技術ジャーナル１９９３年５月号「経済化と機能高度化を図ったAURORA」や、「N．Tomita他“Design and perfomance of a novel automatic fiber line testingsystem with OTDR fbr optical subscriber loops"、Joumal of Lightwave Technology， vol．12，N0．5，May 1994”」に具体的に記載されている。以下従来の光線路試験システムについて説明する。
【０００３】
図６は従来の光線路試験システムの構成を示すブロック図である。図６において、１１１は保守センタ、１１２は各種試験を遠隔から指示するワークステーション（ＷＳ）、１１３は光線路設備のデータベース、１１４はワークステーション（ＷＳ）１１２と試験制御装置（ＣＰＵ）１３２間のデータ通信回線、１２１は光ファイバケーブルの成端及び光線路試験装置を設置している通信設備ビル、１３１はＣＰＵ１３２及び試験装置（ＴＥ）１３３及び心線選択装置（ＦＳａ）１３４を搭載した試験装置モジュール（ＴＥＭ）、１３２は試験制御装置（ＣＰＵ）、１３３は光パルス試験器（ＯＴＤＲ）、損失試験用光源、心線対照用光源、及び光パワーメータ（ＯＰＭ）を含む試験装置（ＴＥ）、１３４は心線選択装置（ＦＳａ）、１４１は加入系光ファイバケーブルの成端架（ＦＴＭ）、１４２は試験アクセスモジュール（ＴＡＭ）、１４３は心線選択装置（ＦＳｂ）、１４４は局内側伝送装置、１５１は加入者光ファイバケーブル、１６１はユーザのビル、１６２は加入者側伝送装置、１６３は通信光を透過してかつ試験光を反射する光フィルタを示している。
【０００４】
図７は、図６に示した光線路試験システム中の試験制御モジュール（ＴＥＭ）１３１及び成端架（ＦＴＭ）１４１の構成例を示すブロック構成図である。
【０００５】
図６に示した光線路試験システムにおいて、従来の方法により光パルス試験を実施した例について、図７を基に説明する。
【０００６】
図７において、光ファイバケーブル心線１５１ａを試験する場合、心線選択装置（ＦＳａ）１３４のヘッド部１３４ａを移動させ、光パルス試験器（ＯＴＤＲ）１３３ａと心線選択装置（ＦＳａ）１３４と心線選択装置（ＦＳｂ）１４３を結ぶ光ファイバケーブルａ１４５を接続する。そして、心線選択装置（ＦＳｂ）１４３のヘッド部１４３ａを移動させ、光ファイバケーブルａ１４５と、心線選択装置（ＦＳｂ）１４３と試験アクセスモジュール（ＴＡＭ）１４２を接続する光ファイバケーブルｂ１４６とを接続する。これにより、光パルス試験器（ＯＴＤＲ）１３３ａから送出された光パルスは心線選択装置（ＦＳａ）１３４、光ファイバケーブルａ１４５、心線選択装置（ＦＳｂ）１４３、光ファイバケーブルｂ１４６、試験アクセスモジュール（ＴＡＭ）１４２を伝達して、光ファイバケーブル心線１５１ａに挿入される。
【０００７】
そして、この挿入された光パルスは、光ファイバケーブル心線１５１ａ内で散乱して、その散乱光のうち後方散乱成分は前述した光パルスの進行経路を逆戻りし、光パルス試験器（ＯＴＤＲ）１３３ａに到達し、到達時間と後方散乱成分の光強度の関係を解析することで、光ファイバケーブル心線１５１ａの特性を測定することが可能となる。なお、前述の光パルスは、通信光を透過してかつ試験光を反射する光フィルタ１４２ａ及び光フィルタ１６３で遮断されるため、通信に影響を及ぼさない。
【０００８】
以上説明した光線路試験システムによれば、心線選択装置（ＦＳａ）１３４と心線選択装置（ＦＳｂ）１４３の心線選択装置の接続の組合せによって、任意の光ファイバケーブル心線を選択して接続することができる。従って、任意の光ファイバケーブル心線に対して、光パルス試験、光損失用光源の送出、心線対照用光源の送出、光伝送路の故障切り分け、及び故障位置探索がワークステーション（ＷＳ）１１２からの遠隔操作でかつ自動的に実施できる。さらに光パルス試験及び心線対照については通信中の光ファイバケーブル心線に対しても実施できることになる。
【０００９】
【発明が解決しようとする課題】
従来の光線路試験システムにおいては、ワークステーション（ＷＳ）１１２から設備データベース１１３の設備情報を参照して、試験心線の選択と通信光に影響を与えない試験波長（１.５５μｍまたは１.６５μｍ）の選択を行い、光パルス試験等の各種試験を実施している。従来はＳＭ型光ファイバケーブルの通信波長として１.３１μｍ帯のみが用いられており、試験波長として１.５５μｍが用いられていた。
【００１０】
しかし、近年、１心の光ファイバケーブルで複数波長の通信光を伝送する波長多重サービスが導入され、従来の試験波長である１.５５μｍ帯が通信波長として使用されるため、波長１.６５μｍを試験波長とする試験装置が試験制御装置（ＴＥＭ）１３１に追加されるようになってきた。
【００１１】
しかしながら、設備データベース１１３のデータに不備があった場合や、設備データベース１１３のデータ更新が遅れていて実際の設備とデータベースの情報が一致しない場合や、または試験波長の設定に誤りがあった場合等に、通信光の波長帯と同じ波長の試験光を誤挿入してしまい、通信サービスに影響を及ぼす場合があった。
【００１２】
本発明は、上述した事情を考慮してなされたものであり、通信波長帯と同一波長の試験光が挿入されることを防ぎ、試験光が通信に影響を及ぼすことを防止する光線路試験装置、光線路試験システム及び光線路試験方法を提供することを目的とする。
【００１３】
【課題を解決するための手段】
この発明は、上述した課題を解決すべくなされたもので、本発明の光線路試験装置においては、光送受信器の直前に試験光を反射する光フィルタを備えた光ファイバケーブルに光カプラを介して試験光を注入して光線路試験を行う光線路試験装置であって、光線路試験を実施する光ファイバケーブルを選択する心線選択手段と、光線路試験実施の直前に試験対象となる光ファイバケーブルの通信光の検出及び通信波長の特定を行う通信光検出手段と、前記検出した通信光の波長とは異なる波長の試験光を選択して光線路試験を実施する光線路試験手段とを具備することを特徴とする。
【００１４】
これにより、通信波長光と同一波長の試験光の誤挿入を防止し、通信サービスに影響を及ぼさない試験装置を提供できる。また、試験波長と同一の通信波長光を検出した場合に、光線路試験装置に搭載されている試験装置の試験光の波長を検索し、通信光波長とは異なる試験波長を有する試験装置を選択して、光線路試験を実施することが可能となる。
【００１５】
また、本発明の光線路試験装置においては、前記光ファイバケーブルの通信光の検出及び通信波長の特定を行う通信光検出手段として、通信光を波長別に透過する複数の光フィルタと、該光フィルタを透過した通信光を検出する光パワーメータを使用することを特徴とする。
【００１６】
これにより、既設の光線路試験装置に光フィルタを追加するだけで通信光を検出することが可能となる。
【００１７】
また、本発明の光線路試験システムにおいては、加入者の光ファイバケーブルの設備情報を登録する設備データベースを有すると共に加入者の光ファイバケーブルの光線路試験を一括して管理する保守センタと、光送受信器の直前に試験光を反射する光フィルタを備えた光ファイバケーブルに光カプラを介して試験光を注入して光線路試験を行う光線路試験装置から構成される光線路試験システムにおいて、前記光線路試験装置には、前記保守センタから光線路試験実施の指示情報と、試験対象となる光ファイバケーブルについての設備データベースの情報とを受信する手段と、光線路試験を実施する光ファイバケーブルを選択する心線選択手段と、前記保守センタから受信した試験対象となる光ファイバケーブルについての設備データベースの情報と、前記通信光検出手段により検出された通信光の測定結果とを照合する照合手段と、前記照合手段による照合の結果、通信光と試験光の波長が一致すると判断された場合には、通信光と同一の波長の試験光の挿入を抑止する手段とを具備し、前記保守センタには、前記光線路試験装置に光線路試験実施の指示情報と、試験対象となる光ファイバケーブルについての設備データベースの情報を送信する手段を具備することを特徴とする。
【００１８】
これにより、通信波長光と同一波長の試験光の誤挿入を防止し、通信サービスに影響を及ぼさない光線路試験システムを提供できる。
【００１９】
また、加入者の光ファイバケーブルの設備情報を登録する設備データベースを有すると共に加入者の光ファイバケーブルの光線路試験を一括して管理する保守センタと、光送受信器の直前に試験光を反射する光フィルタを備えた光ファイバケーブルに光カプラを介して試験光を注入して光線路試験を行う光線路試験装置から構成される光線路試験システムにおいて、前記光線路試験装置には、前記保守センタから光線路試験実施の指示情報と、試験対象となる光ファイバケーブルについての設備データベースの情報とを受信する手段と、光線路試験を実施する光ファイバケーブルを選択する心線選択手段と、光線路試験実施の直前に試験対象となる光ファイバケーブルの通信光の検出及び通信波長の特定を行う通信光検出手段と、前記保守センタから受信した試験対象となる光ファイバケーブルについての設備データベースの情報と、前記通信光検出手段により検出された通信光の測定結果とを照合する照合手段と、前記照合手段の結果により、通信光と試験光の波長が一致する場合には、通信光とは異なる波長の試験光を選択して光線路試験を実施する光線路試験手段とを具備し、前記保守センタには、前記光線路試験装置に、光線路試験の実施を指示する情報と、試験対象となる光ファイバケーブルについての設備データベースの情報を送信する手段を具備することを特徴とする。
【００２０】
これにより、通信波長光と同一波長の試験光の誤挿入を防止し、通信サービスに影響を及ぼさない光線路試験システムを提供できる。また、試験波長と同一の通信波長光を検出した場合に、光線路試験システムに搭載されている試験装置の試験光の波長を検索し、通信光波長とは異なる試験波長を有する試験装置を選択して、光線路試験を実施することが可能となる。
【００２１】
また、前記光線路試験装置には、前記照合手段の結果より、保守センタから受信した試験対象となる光ファイバケーブルについての設備データベースの情報と、試験対象となる光ファイバケーブルから検出した通信光の測定結果とが一致しない場合は、通信光の測定結果の情報を前記保守センタに通知する手段をさらに具備し、保守センタには、前記測定結果の通知を受けて、設備データベースに登録されたデータの補正を行う手段をさらに具備することを特徴とする。
【００２２】
これにより、通信波長光と同一波長の試験光の誤挿入を防止し、通信サービスに影響を及ぼさない光線路試験システムを提供できる。また、データの不備や、データベースの更新が遅れていて実際の設備とデータベースの情報が一致しない場合や、試験波長の設定に誤りがあった場合に、検出された通信光の波長と、設備データベースに登録された情報を照合し、測定結果に基づいた設備データベースの補正を自動的に行うことにより、通信光と同一波長の試験光の誤挿入を防止できるだけでなく、データベースの信頼性向上、データ投入、更新などのデータベース保守作業の軽減が図れる。
【００２３】
また、本発明の光線路試験システムにおいては、前記光ファイバケーブルの通信光の検出及び通信波長の特定を行う通信光検出手段として、通信光を波長別に透過する複数の光フィルタと、該光フィルタを透過した通信光を検出する光パワーメータを使用することを特徴とする。
【００２４】
これにより、既設の光線路試験装置に光フィルタを追加するだけで通信光を検出することが可能となる。
【００２５】
また、本発明の光線路試験方法においては、光送受信器の直前に試験光を反射する光フィルタを備えた光ファイバケーブルに光カプラを介して試験光を注入して光線路試験を行う光線路試験方法であって、光線路試験を実施する光ファイバケーブルを選択する心線選択手順と、光線路試験実施の直前に試験対象となる光ファイバケーブルの通信光の検出及び通信波長の特定を行う通信光検出手順と、前記検出した通信光の波長とは異なる波長の試験光を選択して光線路試験を実施する光線路試験手順とを含むことを特徴とする。
【００２６】
これにより、通信波長光と同一波長の試験光の誤挿入を防止し、通信サービスに影響を及ぼさない光線路試験方法を提供できる。また、試験波長と同一の通信波長光を検出した場合に、光線路試験システムに搭載されている試験装置の試験光の波長を検索し、通信光波長とは異なる試験波長を有する試験装置を選択して、光線路試験を実施することが可能となる。
【００２７】
また、本発明の光線路試験方法においては、加入者の光ファイバケーブルの設備情報を登録する設備データベースを有すると共に加入者の光ファイバケーブルの光線路試験を一括して管理する保守センタと、光送受信器の直前に試験光を反射する光フィルタを備えた光ファイバケーブルに光カプラを介して試験光を注入して光線路試験を行う光線路試験装置から構成される光線路試験システムにおける光線路試験方法であって、前記光線路試験装置には、前記保守センタから光線路試験実施の指示情報と、試験対象となる光ファイバケーブルについての設備データベースの情報とを受信する手順と、光線路試験を実施する光ファイバケーブルを選択する心線選択手順と、光線路試験実施の直前に試験対象となる光ファイバケーブルの通信光の検出及び通信波長の特定を行う通信光検出手順と、前記保守センタから受信した試験対象となる光ファイバケーブルについての設備データベースの情報と、前記通信光検出手順により検出された通信光の測定結果とを照合する照合手順と、前記照合手順による照合の結果、通信光と試験光の波長が一致すると判断された場合には、通信光と同一の波長の試験光の挿入を抑止する手順とを含み、前記保守センタには、前記光線路試験装置に光線路試験実施の指示情報と、試験対象となる光ファイバケーブルについての設備データベースの情報を送信する手順とを含むことを特徴とする。
【００２８】
これにより、通信波長光と同一波長の試験光の誤挿入を防止し、通信サービスに影響を及ぼさない光線路試験方法を提供できる。
【００２９】
また、本発明の光線路試験方法においては、加入者の光ファイバケーブルの設備情報を登録する設備データベースを有すると共に加入者の光ファイバケーブルの光線路試験を一括して管理する保守センタと、光送受信器の直前に試験光を反射する光フィルタを備えた光ファイバケーブルに光カプラを介して試験光を注入して光線路試験を行う光線路試験装置から構成される光線路試験システムにおける光線路試験方法であって、前記光線路試験装置には、前記保守センタから光線路試験実施の指示情報と、試験対象となる光ファイバケーブルについての設備データベースの情報とを受信する手順と、光線路試験を実施する光ファイバケーブルを選択する心線選択手順と、光線路試験実施の直前に試験対象となる光ファイバケーブルの通信光の検出及び通信波長の特定を行う通信光検出手順と、前記保守センタから受信した試験対象となる光ファイバケーブルについての設備データベースの情報と、前記通信光検出手順により検出された通信光の測定結果とを照合する照合手順と、前記照合手順の結果により、通信光と試験光の波長が一致する場合には、通信光とは異なる試験波長を選択して光線路試験を実施する光線路試験手順とを含み、前記保守センタには、前記光線路試験装置に光線路試験実施の指示情報と、試験対象となる光ファイバケーブルについての設備データベースの情報を送信する手順とを含むことを特徴とする。
【００３０】
これにより、通信波長光と同一波長の試験光の誤挿入を防止し、通信サービスに影響を及ぼさない光線路試験方法を提供できる。また、試験波長と同一の通信波長光を検出した場合に、光線路試験システムに搭載されている試験装置の試験光の波長を検索し、通信光波長とは異なる試験波長を有する試験装置を選択して、光線路試験を実施することが可能となる。
【００３１】
また、本発明の光線路試験方法においては、前記光線路試験装置には、前記照合手順の結果より、保守センタから受信した試験対象となる光ファイバケーブルについての設備データベースの情報と、試験対象となる光ファイバケーブルから検出した通信光の測定結果とが一致しない場合は、通信光の測定結果の情報を前記保守センタに通知する手順をさらに含み、保守センタには、前記測定結果の通知を受けて、設備データベースに登録されたデータの補正を行う手順をさらに含むことを特徴とする。
【００３２】
これにより、通信波長光と同一波長の試験光の誤挿入を防止し、通信サービスに影響を及ぼさない光線路試験方法を提供できる。また、データの不備や、データベースの更新が遅れていて実際の設備とデータベースの情報が一致しない場合や、試験波長の設定に誤りがあった場合に、検出された通信光の波長と、設備データベースに登録された情報を照合し、測定結果に基づいた設備データベースの補正を自動的に行うことにより、通信光と同一波長の試験光の誤挿入を防止できるだけでなく、データベースの信頼性向上、データ投入、更新などのデータベース保守作業の軽減が図れる。
【００３３】
また、本発明は、光送受信器の直前に試験光を反射する光フィルタを備えた光ファイバケーブルに光カプラを介して試験光を注入して光線路試験を行う光線路試験装置に使用されるコンピュータに、光線路試験を実施する光ファイバケーブルを選択する心線選択手順と、光線路試験実施の直前に試験対象となる光ファイバケーブルの通信光の検出及び通信波長の特定を行う通信光検出手順と、前記検出した通信光の波長とは異なる波長の試験光を選択して光線路試験を実施する光線路試験手順とを実行させるためのプログラムを記録したコンピュータ読み取り可能な記録媒体を提供する。
【００３４】
また、本発明は、光送受信器の直前に試験光を反射する光フィルタを備えた光ファイバケーブルに光カプラを介して試験光を注入して光線路試験を行う光線路試験装置に使用されるコンピュータに、光線路試験を実施する光ファイバケーブルを選択する心線選択手順と、光線路試験実施の直前に試験対象となる光ファイバケーブルの通信光の検出及び通信波長の特定を行う通信光検出手順と、前記検出した通信光の波長とは異なる波長の試験光を選択して光線路試験を実施する光線路試験手順とを実行させるためのプログラムを提供する。
【００３５】
また、本発明は、保守センタからの指示により、光送受信器の直前に試験光を反射する光フィルタを備えた光ファイバケーブルに光カプラを介して試験光を注入して光線路試験を行う光線路試験装置のコンピュータに、前記保守センタから光線路試験実施の指示情報と、試験対象となる光ファイバケーブルについての設備データベースの情報とを受信する手順と、光線路試験を実施する光ファイバケーブルを選択する心線選択手順と、光線路試験実施の直前に試験対象となる光ファイバケーブルの通信光の検出及び通信波長の特定を行う通信光検出手順と、前記保守センタから受信した試験対象となる光ファイバケーブルについての設備データベースの情報と、前記通信光検出手順により検出された通信光の測定結果とを照合する照合手順と、前記照合手順の結果により、通信光と試験光の波長が一致する場合には、通信光とは異なる試験波長を選択して光線路試験を実施する光線路試験手順とを実行させるためのプログラムを記録したコンピュータ読み取り可能な記録媒体を提供する。
【００３６】
また、本発明は、保守センタからの指示により、光送受信器の直前に試験光を反射する光フィルタを備えた光ファイバケーブルに光カプラを介して試験光を注入して光線路試験を行う光線路試験装置のコンピュータに、前記保守センタから光線路試験実施の指示情報と、試験対象となる光ファイバケーブルについての設備データベースの情報とを受信する手順と、光線路試験を実施する光ファイバケーブルを選択する心線選択手順と、光線路試験実施の直前に試験対象となる光ファイバケーブルの通信光の検出及び通信波長の特定を行う通信光検出手順と、前記保守センタから受信した試験対象となる光ファイバケーブルについての設備データベースの情報と、前記通信光検出手順により検出された通信光の測定結果とを照合する照合手順と、前記照合手順の結果により、通信光と試験光の波長が一致する場合には、通信光とは異なる試験波長を選択して光線路試験を実施する光線路試験手順とを実行させるためのプログラムを提供する。
【００３７】
【発明の実施の形態】
以下、本発明の実施の形態を図示例と共に説明する。
【００３８】
図１は、本発明の光線路試験システムの構成を示すブロック図であり、図１において、１１は加入者の光ファイバケーブルの設備情報を登録する設備データベースを有すると共に加入者の光ファイバケーブルの光線路試験を一括して管理する保守センタ、１２は各種試験を遠隔から指示するワークステーション（ＷＳ）、１３は加入者の光ファイバケーブルの設備情報を登録する光線路の設備データベース、１４はワークステーション（ＷＳ）１２と試験制御装置（ＣＰＵ）３２間のデータ通信回線、２１は光ファイバケーブルの成端及び光線路試験装置を設置している通信設備ビル、３１はＣＰＵ３２及び試験装置（ＴＥ）３３及び心線選択装置（ＦＳａ）３４を搭載した試験装置モジュール（ＴＥＭ）、３２は試験制御装置（ＣＰＵ）、３３は光パルス試験器（ＯＴＤＲ）、損失試験用光源、心線対照用光源、及び光パワーメータ（ＯＰＭ）を含む試験装置（ＴＥ）、３４は心線選択装置（ＦＳａ）、４１は加入系光ファイバケーブルの成端架（ＦＴＭ）、４２は試験アクセスモジュール（ＴＡＭ）、４３は心線選択装置（ＦＳｂ）、４４は局内側伝送装置、５１は加入者光ファイバケーブル、６１はユーザのビル、６２は加入者側伝送装置、６３は通信光を透過してかつ試験光を反射する光フィルタを示している。図１に示した光線路試験システムの構成と、図６に示した従来例の光線路試験システムの構成とは基本的には同じであるが、図１の試験制御モジュール（ＴＥＭ）３１の内部構成が従来のものとは異なる他、光線路試験の手順が異なっている。
【００３９】
また、図２は、本発明の光線路試験方法を実施するための、試験制御モジュール（ＴＥＭ)３１及び成端架（ＦＴＭ）４１の構成を示すブロック図である。図２において、３３ａは光パルス試験器（ＯＴＤＲ）、３３ｂは光パワーメータ（ＯＰＭ）、３３ｃは光パルス試験器（ＯＴＤＲ）、３４ａは心線選択装置（ＦＳａ）のヘッド部、３５は波長λ１のみ透過する光フィルタ、３６は波長λ２のみ透過する光フィルタ、３７は光カプラ、４２ａは通信光を透過してかつ試験光を反射する光フィルタ、４３ａは心線選択装置（ＦＳｂ）のヘッド部、４５は心線選択装置（ＦＳａ）と心線選択装置（ＦＳｂ）を結ぶ光ファイバケーブルａ、４６は心線選択装置（ＦＳｂ）と試験アクセスモジュール（ＴＡＭ）を結ぶ光ファイバケーブルｂ、４７は光ファイバケーブルｃ，５１ａは光ファイバの心線を示しており、他の符号は図１の場合と同様である。
【００４０】
図２に示した本発明の光線路試験システムの構成と、図７に示した従来の光線路試験システムの構成を比較した場合、本発明の光線路試験システムでは、新たに光パルス試験器（ＯＴＤＲ）３３ｃ、波長λ１のみ透過する光フィルタ３５、波長λ２のみ透過する光フィルタ３６、及び光カプラ３７を追加された点が異なっている。すなわち、光パワーメータ（ＯＰＭ）３３ｂと心線選択装置（ＦＳａ）３４間の光ファイバケーブルに、波長λ１の光のみ透過する光フィルタ３５と、波長λ２の光のみ透過する光フィルタ３６を挿入し、それぞれのポートを光カプラ３７で結合して光パワーメータ（ＯＰＭ）３３ｂと接続している。
【００４１】
これにより、試験アクセスモジュール（ＴＡＭ）４２と光ファイバケーブルｂ４６または光ファイバケーブルｃ４７と、光ファイバケーブルａ４５を経由してきた通信光は、心線選択装置（ＦＳａ）３４のヘッド部３４ａを移動させて光パワーメータ（ＯＰＭ）３３ｂに導かれることにより、光パワーメータ（ＯＰＭ）３３ｂでそれぞれ波長λ１の光、波長λ２の光ごとに受光レベルを測定することが可能となる。
【００４２】
通常、ＳＭ光ファイバケーブルの通信波長としては１.３１μｍ帯が使用されており、その場合の試験波長としては１.５５μｍ帯が使用されている。波長多重サービスで、１.３１μｍと１.５５μｍの２波長が通信波長として使用される場合、試験波長はさらに長波長側の１.６５μｍ帯を使用する。通信波長を、λ１＝１.３１μm、λ２＝１.５５μm、光パルス試験器（ＯＴＤＲ）３３ａの試験波長はλ２＝１.５５μm、光パルス試験器（ＯＴＤＲ）３３ｃの試験波長はλ３＝１.６５μｍであるとして、以下、本発明における光線路試験の手順について説明する。
【００４３】
［第１の光線路試験手順］
図３は本発明の第１の光線路試験手順を示すフローチャート図である。以下、図３のフローチャートを基に、その試験手順について説明する。
【００４４】
（１）まず、ワークステーション（ＷＳ）１２からの光線路試験実施の指示、設備データベース（ＤＢ）１３の情報（心線の使用状況及び収容サービス、通信波長、心線の設備構成、光フィルタ種別等）に基づいて、試験心線番号、試験種別、試験波長等の試験パラメータの設定を行う（ステップＳＡ０）。
【００４５】
（２）次に、ワークステーション（ＷＳ）１２から指定された試験心線５１ａ中に存在する通信光を、光パワーメータ（ＯＰＭ）３３ｂと波長λ１の光のみ透過する光フィルタ３５及び波長λ２の光のみ透過する光フィルタ３６を用いて、波長λ１、λ２の通信光の受光レベルをそれぞれ測定する（ステップＳＡ１）。
【００４６】
（３）次に、ステップＳＡ０で得た設備データベース（ＤＢ）１３の情報から、試験心線の使用状況を調べる（ステップＳＡ２）。
【００４７】
（４）試験心線の設備使用状況が「非現用心線」である場合は、ステップＳＡ１での測定により波長λ１またはλ２の通信光が検出されているか否かを判定し、通信光が検出されなければ、試験心線の使用状況は設備データの情報と一致するため、指示どおりに光線路試験を実施し、通信光が検出されれば、実際の使用状況が設備データの情報と一致しないため、光線路試験を中止する。（ステップＳＡ３）
【００４８】
（５）ステップＳＡ２で、設備データベース（ＤＢ）１３上の心線使用状況が「現用心線」であると判断された場合は、ステップＳＡ０で得られた試験心線５１ａが収容しているサービス種別の情報から通信に使用されている通信波長（λ１、λ２のいずれか、または両方）を確認する（ステップＳＡ４）。
【００４９】
（６）次に、ステップＳＡ１の測定結果より、波長λ１、λ２の通信光がそれぞれ検出されたか否かを判定し、ステップＳＡ０でパラメータ設定された試験波長（λ２またはλ３）が、ステップＳＡ１で検出された通信光の波長と一致しないことを確認する（ステップＳＡ５）。
【００５０】
（７）通信光の波長が試験波長と一致する場合には、収容サービスに影響を及ぼす恐れがあるため、試験を中止する。通信光の波長が試験波長と一致しない場合には、ステップＳＡ０で設定された試験波長を遮断するための光フィルタ６３、試験アクセスモジュール（ＴＡＭ）４２内の光フィルタ４２ａが設置されているか否かを、ステップＳＡ０で得られた設備構成情報から判断し、各光フィルタ４２ａ、６３が設置されていれば光線路試験を実行し、設置されていなければ、光線路試験を中止する（ステップＳＡ６）。
【００５１】
上記のフローチャートに従って、光ファイバケーブル５１ａに対し、光線路試験システムからの自動試験を実施することにより、設備データベース（ＤＢ）１３の登録情報に誤りがあった場合や、データの更新が遅れていた場合でも、誤って通信光と同一波長の試験光を挿入し通信サービスに影響を及ぼすことを防止できる。
【００５２】
［第２の光線路試験手順］
図４は本発明の第２の光線路試験手順を示すフローチャート図である。以下、図４のフローチャートを基に、その試験手順について説明する。
【００５３】
（１）図３のステップＳＡ４で、試験対象となる光ファイバケーブルについて設備データベース（ＤＢ）１３に登録された通信波長の情報の確認を行った後、ステップＳＡ１の測定結果と、ステップＳＡ４で得られた通信波長の情報とを比較する（ステップＳＡ５）。
【００５４】
（２）測定した通信光の波長が、ステップＳＡ０でパラメータ設定された試験波長と一致する場合には、検出された通信波長とは異なる試験波長をもつ試験器が試験装置に搭載されているかを確認する（ステップＳＡ７）。通信波長とは異なる試験波長をもつ試験器が搭載されていなければ、試験を中止する。
【００５５】
（３）図２に示した光パルス試験器（ＯＴＤＲ）３３ｃのように、通信波長と異なる試験波長をもつ試験器が搭載されていれば、ステップＳＡ７で確認された通信波長と異なる波長を試験波長として再度パラメータ設定する（ステップＳＡ８）。
【００５６】
（４）その後、ステップＳＡ８で設定された試験波長を遮断するための光フィルタ６３、試験アクセスモジュール（ＴＡＭ）４２内の光フィルタ４２ａが設置されているか否かを、ステップＳＡ０で得られた設備構成情報から判断し、各光フィルタが設置されていれば試験を実行し、設置されていなければ、試験を中止する（ステップＳＡ９）。
【００５７】
上記のフローチャートに従って光線路試験システムからの自動試験を実施することにより、設備データベース（ＤＢ）１３の登録情報に誤りがあった場合や、データの更新が遅れていた場合でも、試験制御モジュール（ＴＥＭ）３１に通信波長と異なる波長の試験光を有する試験器が搭載されていれば、通信光と同一波長の試験光を挿入し、通信サービスに影響を及ぼすことなく、試験を実施することが可能となる。
【００５８】
［第３の光線路試験手順］
図５は本発明の第３の光線路試験手順を示すフローチャート図である。以下、図５のフローチャートを基に、その試験手順について説明する。
【００５９】
（１）図３のステップＳＡ１で通信波長の各受光レベルをそれぞれ測定した後、ＳＡ０で得られた設備データベース（ＤＢ）１３からの情報により収容サービス及び通信波長を確認し（ステップＳＡ１０）、その情報とステップＳＡ１で得られた測定結果とを比較し、設備データベース（ＤＢ）１３に登録された波長の通信光が試験対象の光ファイバ心線に含まれているかどうかを判断する（ステップＳＡ１１）。
【００６０】
（２）設備データベース（ＤＢ）１３に登録された通りの測定結果が得られた場合は、心線の使用状況が「現用心線」であるかどうかを確認し（ステップＳＡ１２）、「非現用心線」であれば、光線路試験を実施する。「現用心線」であれば、図３のステップＳＡ６に戻り、光フィルタの設置状態を確認した後、光線路試験を実行する。
【００６１】
（３）ステップＳＡ１１において、実測した結果と設備データベース（ＤＢ）１３に登録された情報とが異なる場合は、まずステップＳＡ１で通信波長λ１、λ２のいずれかが検出されたか否かを確認し（ステップＳＡ１３）、通信光が検出されていなければ、選択された試験対象の心線は「非現用心線」と判定できるので、設備データベース（ＤＢ）１３の情報を「現用心線」から「非現用心線」に変更して、試験を実行する。（ステップＳＡ１４）
【００６２】
（４）ステップＳＡ１で通信光が検出されている場合、設備データベース（ＤＢ）１３に登録された情報により試験する光ファイバケーブルの使用状況が「現用心線」であるか否かを確認し（ステップＳＡ１５）、「非現用心線」となっていれば、これを「現用心線」に変更する（ステップＳＡ１６）。
【００６３】
（５）設備データベース（ＤＢ）１３に登録された使用状況の情報が「現用心線」に変更された後に、ステップＳＡ１における通信波長の測定結果に基づき、設備データベース（ＤＢ）１３上に登録されている試験心線の通信波長を変更し（ステップＳＡ１７）、その後、図３のステップＳＡ４に戻る。
【００６４】
上記のフローチャートに従って光線路試験システムからの自動試験を実施することにより、設備データベース（ＤＢ）１３の登録情報に誤りがあった場合や、データの更新が遅れていた場合でも、測定した通信波長の情報から、設備データベース（ＤＢ）１３の登録情報を更新するとともに、通信光と同一波長の試験光の誤挿入による通信サービスヘ影響を防ぎ、かつ光線路試験を実施することが可能となる。
【００６５】
以上、本発明の光線路試験システムの実施の形態について説明したが、本発明の光線路試験システムは上述した図示例にのみ限定されるものではなく、本発明の要旨を逸脱しない範囲の設計等も含まれる。
【００６６】
また、図１及び図２に示した光線路試験システムの機能を実現するためのプログラムをコンピュータ読み取り可能な記録媒体に記録して、この記録媒体に記録されたプログラムを光線路試験システム内のコンピュータに読み込ませ、実行することにより本発明の光線路試験システムの機能を実現する処理を行ってもよい。
【００６７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハ−ドディスク等の記憶装置のことをいう。さらに、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００６８】
また、上記プログラムは、このプログラムを記憶装置に格納したコンピュータシステムから、伝送媒体を介して、あるいは伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する媒体のことをいう。
【００６９】
また、上記プログラムは、前述した機能の一部を実現するものであっても良い。さらに、前述した機能をコンピュータシステムにすでに記録されているプログラムとの組み合わせで実現できるもの、いわゆる差分ファイル（差分プログラム）であってもよい。
【００７０】
【発明の効果】
以上説明したように本発明の光線路試験装置、光線路試験システム及び光線路試験方法によれば、試験実施の直前に、試験対象となる光ファイバケーブル心線の通信光の検出及び通信波長の特定を行い、保守センタの設備データベースのデータの情報と検出された通信光の測定結果とを照合するようにしたので、通信波長光と同一波長の試験光の誤挿入を防止し、通信サービスに影響を及ぼさない光線路試験を実施できる。
【００７１】
また、本発明の光線路試験装置、光線路試験システム及び光線路試験方法によれば、試験実施の直前に、光カプラと、特定波長のみ透過する光フィルタと、光パワーメータを用いて、光カプラを経由してきた通信光の検出及び通信波長の特定を行い、保守センタの設備データベースのデータの情報と検出された通信光の測定結果とを照合するようにしたので、これにより、通信波長光と同一波長の試験光の誤挿入を防止し、通信サービスに影響を及ぼさない光線路試験を実施できる。
【００７２】
また、本発明の光線路試験システム及び光線路試験方法によれば、試験波長と同一の通信波長光を検出した場合に、光線路試験システムに搭載されている試験装置の試験光の波長を検索し、通信光波長とは異なる試験波長を有する試験装置を選択するようにしたので、これにより、通信波長光と同一波長の試験光の誤挿入を防止し、通信サービスに影響を及ぼさない光線路試験を実施できる。
【００７３】
また、本発明の光線路試験システム及び光線路試験方法によれば、保守センタの設備データベースにおけるデータの不備や、データベースの更新が遅れていて実際の設備とデータベースの情報が一致しない場合や、試験波長の設定に誤りがあった場合に、検出された通信光の波長と、設備データベースに登録された情報を照合し、測定結果に基づいた設備データベースの補正を自動的に行うようにしたので、これにより、通信光と同一波長の試験光の誤挿入を防止できるだけでなく、データベースの信頼性向上、データ投入、更新などのデータベースの保守作業の軽減が図れる。
【図面の簡単な説明】
【図１】  本発明の光線路試験システムの構成を示すブロック図である。
【図２】  本発明の試験制御モジュール（ＴＥＭ)及び成端架（ＦＴＭ）の構成を示すブロック図である。
【図３】  本発明の第１の光線路試験手順を示すフローチャートである。
【図４】  本発明の第２の光線路試験手順を示すフローチャートである。
【図５】  本発明の第３の光線路試験手順を示すフローチャートである。
【図６】  従来の光線路試験システムの構成を示すブロック図である。
【図７】  従来の試験制御モジュール（ＴＥＭ)及び成端架（ＦＴＭ）の構成を示すブロック図である。
【符号の説明】
１１  保守センタ
１２  ワークステーション（ＷＳ）
１３  設備データベース
１４  データ通信回線
２１  通信設備ビル
３１  試験制御モジュール（ＴＥＭ）
３２  試験制御装置（ＣＰＵ）
３３  試験装置（ＴＥ）
３３ａ、３３ｃ  光パルス試験器（ＯＴＤＲ）
３３ｂ  光パワーメータ（ＯＰＭ）
３４  心線選択装置（ＦＳａ）
３４ａ  ＦＳａのヘッド部
３５  波長λ１のみ透過する光フィルタ
３６  波長λ２のみ透過する光フィルタ
３７  光カプラ
４１  成端架（ＦＴＭ）
４２  試験アクセスモジュール（ＴＡＭ）
４２ａ  光フィルタ
４３  心線選択装置（ＦＳｂ）
４３ａ  ＦＳｂのヘッド部
４４  局内側伝送装置
４５  ＦＳａとＦＳｂを結ぶ光ファイバケーブルａ
４６  ＦＳｂとＴＡＭを結ぶ光ファイバケーブルｂ
４７  ＦＳｂとＴＡＭを結ぶ光ファイバケーブルｃ
５１  加入者光ファイバケーブル
５１ａ  光ファイバケーブル心線
６１  ユーザのビル
６２  加入者側伝送装置
６３  光フィルタ
【図１】
0003811367.tif 000002
【図２】
0003811367.tif 000003
【図３】
0003811367.tif 000004
【図４】
0003811367.tif 000005
【図５】
0003811367.tif 000006
【図６】
0003811367.tif 000007
【図７】
0003811367.tif 000008